(57)【特許請求の範囲】
【請求項１】
複数のセグメント部と、前記複数のセグメント部に形成された複数の結線爪とを有する整流子について、前記複数の結線爪のうち隣り合う結線爪にそれぞれ係止された導線における一対の被係止部を前記隣り合う結線爪に対して保持する保持部と、
前記保持部により前記一対の被係止部が前記隣り合う結線爪に対して保持された状態で、前記導線における前記一対の被係止部間の橋絡部を切断して前記一対の被係止部から延びる一対の端末部を形成すると共に、前記一対の端末部をフック状に折り曲げて前記隣り合う結線爪に引っ掛ける切断・整形部と、
を備え、
前記保持部は、前記セグメント部の端部から前記整流子の軸方向一方側へ折り返して形成された前記結線爪と前記セグメント部との間の隙間に挿入されると共に、前記整流子の軸方向一方側から前記被係止部を前記結線爪の基端部に押圧して前記被係止部を前記結線爪に対して保持し、
前記切断・整形部は、
前記整流子の軸方向一方側から前記橋絡部を支持する支持部材と、
前記整流子の軸方向他方側から前記橋絡部を切断する切断部材と、
を有する、
整流子の結線装置。
【請求項２】
前記支持部材は、前記整流子の軸方向一方側から他方側へ移動し、前記一対の端末部をフック状に折り曲げて前記隣り合う結線爪に引っ掛ける、
請求項１に記載の整流子の結線装置。
【請求項３】
複数のセグメント部と、前記複数のセグメント部に形成された複数の結線爪とを有する整流子について、前記複数の結線爪のうち隣り合う結線爪にそれぞれ係止された導線における一対の被係止部を前記隣り合う結線爪に対して保持する保持部と、
前記保持部により前記一対の被係止部が前記隣り合う結線爪に対して保持された状態で、前記導線における前記一対の被係止部間の橋絡部を切断して前記一対の被係止部から延びる一対の端末部を形成すると共に、前記一対の端末部をフック状に折り曲げて前記隣り合う結線爪に引っ掛ける切断・整形部と、
を備え、
前記保持部は、前記セグメント部の端部から前記整流子の軸方向一方側へ折り返して形成された前記結線爪と前記セグメント部との間の隙間に挿入されると共に、前記整流子の軸方向一方側から前記被係止部を前記結線爪の基端部に押圧して前記被係止部を前記結線爪に対して保持し、
前記切断・整形部は、
前記整流子の軸方向他方側から前記橋絡部を支持する支持部材と、
前記整流子の軸方向一方側から前記橋絡部を切断する切断部材と、
を有する、
整流子の結線装置。
【請求項４】
前記切断部材は、前記整流子の軸方向一方側から他方側へ移動し、前記一対の端末部をフック状に折り曲げて前記隣り合う結線爪に引っ掛ける、
請求項３に記載の整流子の結線装置。
【請求項５】
前記保持部は、前記導線における前記被係止部に対する前記端末部と反対側に形成された湾曲部を該湾曲部に対する前記結線爪と反対側から支持する拘束部を有する、
請求項１〜請求項４のいずれか一項に記載の整流子の結線装置。
【請求項６】
複数のセグメント部と、前記複数のセグメント部に形成された複数の結線爪とを有する整流子について、前記複数の結線爪のうち隣り合う結線爪に導線を係止する係止工程と、
前記隣り合う結線爪にそれぞれ係止された前記導線における一対の被係止部を前記隣り合う結線爪に対して保持する保持工程と、
前記一対の被係止部を前記隣り合う結線爪に対して保持した状態で、前記導線における前記一対の被係止部間の橋絡部を切断して前記一対の被係止部から延びる一対の端末部を形成すると共に、前記一対の端末部をフック状に折り曲げて前記隣り合う結線爪に引っ掛ける切断・整形工程と、
を備え、
前記保持工程において、前記セグメント部の端部から前記整流子の軸方向一方側に向けて折り返して形成された前記結線爪の基端部に前記被係止部を前記整流子の軸方向一方側から押圧して前記被係止部を前記結線爪に対して保持し、
前記切断・整形工程において、前記整流子の軸方向一方側から前記橋絡部を支持し、前記整流子の軸方向他方側から前記橋絡部を切断する、
整流子の結線方法。
【請求項７】
複数のセグメント部と、前記複数のセグメント部に形成された複数の結線爪とを有する整流子について、前記複数の結線爪のうち隣り合う結線爪に導線を係止する係止工程と、
前記隣り合う結線爪にそれぞれ係止された前記導線における一対の被係止部を前記隣り合う結線爪に対して保持する保持工程と、
前記一対の被係止部を前記隣り合う結線爪に対して保持した状態で、前記導線における前記一対の被係止部間の橋絡部を切断して前記一対の被係止部から延びる一対の端末部を形成すると共に、前記一対の端末部をフック状に折り曲げて前記隣り合う結線爪に引っ掛ける切断・整形工程と、
を備え、
前記保持工程において、前記セグメント部の端部から前記整流子の軸方向一方側に向けて折り返して形成された前記結線爪の基端部に前記被係止部を前記整流子の軸方向一方側から押圧して前記被係止部を前記結線爪に対して保持し、
前記切断・整形工程において、前記整流子の軸方向他方側から前記橋絡部を支持し、前記整流子の軸方向一方側から前記橋絡部を切断する、
整流子の結線方法。
【請求項８】
前記保持工程において、前記導線における前記被係止部に対する前記端末部と反対側に形成された湾曲部を該湾曲部に対する前記結線爪と反対側から支持する、
請求項６又は請求項７に記載の整流子の結線方法。
【請求項９】
前記切断・整形工程において、前記複数のセグメント部のうち前記隣り合う結線爪を有する一対のセグメント部間に形成され前記整流子の軸方向他方側に向かうに従って前記整流子の周方向への幅が拡がるテーパ状の逃げ溝に、前記整流子の軸方向他方側から切断部材を挿入すると共に、前記切断部材により前記橋絡部を切断する、
請求項６〜請求項８のいずれか一項に記載の整流子の結線方法。
【発明の詳細な説明】
【技術分野】
【０００１】
本発明は、整流子の結線装置及び結線方法に関する。
【背景技術】
【０００２】
従来、整流子に形成された複数の結線爪のうち隣り合う結線爪に導線を係止する係止工程と、導線における一対の被係止部間の橋絡部を切断して一対の被係止部から延びる一対の端末部を形成すると共に、一対の端末部をフック状に折り曲げて一対の端末部を隣り合う結線爪に引っ掛ける切断・整形工程とを備える整流子の結線方法がある（例えば、特許文献１参照）。
【先行技術文献】
【特許文献】
【０００３】
【特許文献１】特開２００１−６９７２３号公報
【発明の概要】
【発明が解決しようとする課題】
【０００４】
この種の整流子の結線方法では、切断・整形工程において、導線が結線爪に対して動いてしまうと、橋絡部の切断が不十分になる場合がある。橋絡部の切断が不十分であると、橋絡部が切断されずに繋がったままとなりショート不良が発生する。
【０００５】
また、導線が切断されたとしても、端末部をフック状に折り曲げる際に導線が結線爪に対して動いてしまうと、端末部のフック形状が不十分になる場合がある。端末部のフック形状が不十分であると、導線が緩んだり、一対の端末部同士が接触してショート不良が発生したりする虞がある。
【０００６】
本発明は、上記課題に鑑みてなされたものであって、導線の緩み、及び、ショート不良の発生を抑制できる整流子の結線装置及び結線方法を提供することを目的とする。
【課題を解決するための手段】
【０００７】
前記課題を解決するために、請求項１に記載の整流子の結線装置は、複数のセグメント部と、前記複数のセグメント部に形成された複数の結線爪とを有する整流子について、前記複数の結線爪のうち隣り合う結線爪にそれぞれ係止された導線における一対の被係止部を前記隣り合う結線爪に対して保持する保持部と、前記保持部により前記一対の被係止部が前記隣り合う結線爪に対して保持された状態で、前記導線における前記一対の被係止部間の橋絡部を切断して前記一対の被係止部から延びる一対の端末部を形成すると共に、前記一対の端末部をフック状に折り曲げて前記隣り合う結線爪に引っ掛ける切断・整形部と、を備え、前記保持部は、前記セグメント部の端部から前記整流子の軸方向一方側へ折り返して形成された前記結線爪と前記セグメント部との間の隙間に挿入されると共に、前記整流子の軸方向一方側から前記被係止部を前記結線爪の基端部に押圧して前記被係止部を前記結線爪に対して保持し、前記切断・整形部は、前記整流子の軸方向一方側から前記橋絡部を支持する支持部材と、前記整流子の軸方向他方側から前記橋絡部を切断する切断部材と、を有する。
【０００８】
この整流子の結線装置によれば、一対の被係止部間の橋絡部が切断・整形部により切断される際に、保持部によって一対の被係止部が隣り合う結線爪に対して保持されるので、橋絡部の切断時に導線が結線爪に対して動いてしまうことを抑制できる。これにより、橋絡部を的確に切断することができるので、橋絡部が切断されずに繋がったままとなるショート不良の発生を抑制することができる。
【０００９】
また、一対の端末部が切断・整形部によりフック状に折り曲げられて隣り合う結線爪に引っ掛けられる際においても、保持部により一対の被係止部が隣り合う結線爪に対して保持される。従って、端末部の整形時においても、導線が結線爪に対して動いてしまうことを抑制できるので、端末部のフック形状を十分に形成することができる。これにより、導線が緩んだり、一対の端末部同士が接触するショート不良が発生したりすることを抑制することができる。
【００１１】
また、この整流子の結線装置によれば、保持部は、結線爪とセグメント部との間の隙間に挿入されると共に、結線爪の折り返し側と同じ側である整流子の軸方向一方側から被係止部を結線爪の基端部に押圧する。従って、結線爪の基端部と保持部との間に被係止部が挟持されるので、橋絡部の切断時、及び、端末部の整形時において、被係止部を結線爪に対してより強固に保持することができる。これにより、橋絡部の切断時、及び、端末部の整形時に導線が結線爪に対して動いてしまうことをより効果的に抑制することができる。
【００１３】
さらに、この整流子の結線装置によれば、橋絡部は、整流子の軸方向一方側から支持部材によって支持され、整流子の軸方向他方側から切断部材により切断される。従って、切断部材により橋絡部を切断する際に、切断部材と反対側から橋絡部が支持部材で支持されるので、橋絡部をより的確に切断することができる。
【００１４】
しかも、切断部材は、結線爪の折返し側と反対側である整流子の軸方向他方側から橋絡部を切断するので、橋絡部の切断時に、橋絡部に対する整流子の軸方向一方側よりも広いスペースのある側（整流子の軸方向他方側）で切断部材を移動させることができる。これにより、切断部材と結線爪との干渉を抑制して橋絡部をより的確に切断することができる。
【００１５】
請求項２に記載の整流子の結線装置は、請求項１に記載の整流子の結線装置において、前記支持部材が、前記整流子の軸方向一方側から他方側へ移動し、前記一対の端末部をフック状に折り曲げて前記隣り合う結線爪に引っ掛けるものである。
【００１６】
この整流子の結線装置によれば、切断部材が橋絡部を切断した後に支持部材が整流子の軸方向一方側から他方側へ移動し、この支持部材により一対の端末部がフック状に折り曲げられて隣り合う結線爪に引っ掛けられる。従って、支持部材が端末部を整形する治具を兼ねるので、端末部をフック状に整形するための専用の治具を不要にでき、コストを削減することができる。
【００１７】
請求項３に記載の整流子の結線装置は、複数のセグメント部と、前記複数のセグメント部に形成された複数の結線爪とを有する整流子について、前記複数の結線爪のうち隣り合う結線爪にそれぞれ係止された導線における一対の被係止部を前記隣り合う結線爪に対して保持する保持部と、前記保持部により前記一対の被係止部が前記隣り合う結線爪に対して保持された状態で、前記導線における前記一対の被係止部間の橋絡部を切断して前記一対の被係止部から延びる一対の端末部を形成すると共に、前記一対の端末部をフック状に折り曲げて前記隣り合う結線爪に引っ掛ける切断・整形部と、を備え、前記保持部は、前記セグメント部の端部から前記整流子の軸方向一方側へ折り返して形成された前記結線爪と前記セグメント部との間の隙間に挿入されると共に、前記整流子の軸方向一方側から前記被係止部を前記結線爪の基端部に押圧して前記被係止部を前記結線爪に対して保持し、前記切断・整形部は、前記整流子の軸方向他方側から前記橋絡部を支持する支持部材と、前記整流子の軸方向一方側から前記橋絡部を切断する切断部材と、を有する。
【００１８】
この整流子の結線装置によれば、橋絡部は、整流子の軸方向他方側から支持部材によって支持され、整流子の軸方向一方側から切断部材により切断される。従って、切断部材により橋絡部を切断する際に、切断部材と反対側から橋絡部が支持部材で支持されるので、橋絡部をより的確に切断することができる。
【００１９】
しかも、保持部が被係止部を押圧して保持する方向と、切断部材が橋絡部を切断する方向とが同じ方向であるので、橋絡部の切断時に導線が結線爪に対して動いてしまうことをより効果的に抑制することができる。
【００２０】
請求項４に記載の整流子の結線装置は、請求項３に記載の整流子の結線装置において、前記切断部材が、前記整流子の軸方向一方側から他方側へ移動し、前記一対の端末部をフック状に折り曲げて前記隣り合う結線爪に引っ掛けるものである。
【００２１】
この整流子の結線装置によれば、切断部材が橋絡部を切断した後に整流子の軸方向一方側から他方側へ移動し、この切断部材により一対の端末部がフック状に折り曲げられて隣り合う結線爪に引っ掛けられる。従って、切断部材が端末部を整形する治具を兼ねるので、端末部をフック状に整形するための専用の治具を不要にでき、コストを削減することができる。
【００２２】
また、橋絡部を切断する方向と、一対の端末部をフック状に折り曲げる方向とが同じ方向であり、切断部材を整流子の軸方向一方側から他方側へ移動させることにより、橋絡部の切断、及び、端末部の整形を連続的に行うことができる。これにより、工数を削減することができる。
【００２８】
請求項５に記載の整流子の結線装置は、請求項１〜請求項４のいずれか一項に記載の整流子の結線装置において、前記保持部が、前記導線における前記被係止部に対する前記端末部と反対側に形成された湾曲部を該湾曲部に対する前記結線爪と反対側から支持する拘束部を有するものである。
【００２９】
この整流子の結線装置によれば、導線に形成された湾曲部が該湾曲部に対する結線爪と反対側から拘束部で支持されるので、橋絡部の切断時、及び、端末部の整形時に導線が結線爪に対して動いてしまうことをより効果的に抑制することができる。
【００３０】
また、前記課題を解決するために、請求項６に記載の整流子の結線方法は、複数のセグメント部と、前記複数のセグメント部に形成された複数の結線爪とを有する整流子について、前記複数の結線爪のうち隣り合う結線爪に導線を係止する係止工程と、前記隣り合う結線爪にそれぞれ係止された前記導線における一対の被係止部を前記隣り合う結線爪に対して保持する保持工程と、前記一対の被係止部を前記隣り合う結線爪に対して保持した状態で、前記導線における前記一対の被係止部間の橋絡部を切断して前記一対の被係止部から延びる一対の端末部を形成すると共に、前記一対の端末部をフック状に折り曲げて前記隣り合う結線爪に引っ掛ける切断・整形工程と、を備え、前記保持工程において、前記セグメント部の端部から前記整流子の軸方向一方側に向けて折り返して形成された前記結線爪の基端部に前記被係止部を前記整流子の軸方向一方側から押圧して前記被係止部を前記結線爪に対して保持し、前記切断・整形工程において、前記整流子の軸方向一方側から前記橋絡部を支持し、前記整流子の軸方向他方側から前記橋絡部を切断する。
【００３１】
この整流子の結線方法によれば、一対の被係止部間の橋絡部を切断する際に、一対の被係止部を隣り合う結線爪に対して保持するので、橋絡部の切断時に導線が結線爪に対して動いてしまうことを抑制できる。これにより、橋絡部を的確に切断することができるので、橋絡部が切断されずに繋がったままとなるショート不良の発生を抑制することができる。
【００３２】
また、一対の端末部をフック状に折り曲げて隣り合う結線爪に引っ掛ける際においても、一対の被係止部を隣り合う結線爪に対して保持する。従って、端末部の整形時においても、導線が結線爪に対して動いてしまうことを抑制できるので、端末部のフック形状を十分に形成することができる。これにより、導線が緩んだり、一対の端末部同士が接触するショート不良が発生したりすることを抑制することができる。
【００３４】
また、この整流子の結線方法によれば、結線爪の折り返し側と同じ側である整流子の軸方向一方側から被係止部を結線爪の基端部に押圧する。従って、橋絡部の切断時、及び、端末部の整形時において、被係止部を結線爪に対してより強固に保持することができる。これにより、橋絡部の切断時、及び、端末部の整形時に導線が結線爪に対して動いてしまうことをより効果的に抑制することができる。
【００３６】
さらに、この整流子の結線方法によれば、橋絡部は、整流子の軸方向一方側から支持され、整流子の軸方向他方側から切断される。従って、橋絡部を切断する際に、切断部材と反対側から橋絡部が支持されるので、橋絡部をより的確に切断することができる。
【００３７】
請求項７に記載の整流子の結線方法は、複数のセグメント部と、前記複数のセグメント部に形成された複数の結線爪とを有する整流子について、前記複数の結線爪のうち隣り合う結線爪に導線を係止する係止工程と、前記隣り合う結線爪にそれぞれ係止された前記導線における一対の被係止部を前記隣り合う結線爪に対して保持する保持工程と、前記一対の被係止部を前記隣り合う結線爪に対して保持した状態で、前記導線における前記一対の被係止部間の橋絡部を切断して前記一対の被係止部から延びる一対の端末部を形成すると共に、前記一対の端末部をフック状に折り曲げて前記隣り合う結線爪に引っ掛ける切断・整形工程と、を備え、前記保持工程において、前記セグメント部の端部から前記整流子の軸方向一方側に向けて折り返して形成された前記結線爪の基端部に前記被係止部を前記整流子の軸方向一方側から押圧して前記被係止部を前記結線爪に対して保持し、前記切断・整形工程において、前記整流子の軸方向他方側から前記橋絡部を支持し、前記整流子の軸方向一方側から前記橋絡部を切断する。
【００３８】
この整流子の結線方法によれば、橋絡部は、整流子の軸方向他方側から支持され、整流子の軸方向一方側から切断される。従って、橋絡部を切断する際に、切断部材と反対側から橋絡部が支持されるので、橋絡部をより的確に切断することができる。
【００３９】
しかも、被係止部を押圧して保持する方向と、橋絡部を切断する方向とが同じ方向であるので、橋絡部の切断時に導線が結線爪に対して動いてしまうことをより効果的に抑制することができる。
【００４２】
請求項８に記載の整流子の結線方法は、請求項６又は請求項７に記載の整流子の結線方法における前記保持工程において、前記導線における前記被係止部に対する前記端末部と反対側に形成された湾曲部を該湾曲部に対する前記結線爪と反対側から支持する方法である。
【００４３】
この整流子の結線方法によれば、導線に形成された湾曲部を該湾曲部に対する結線爪と反対側から支持するので、橋絡部の切断時、及び、端末部の整形時に導線が結線爪に対して動いてしまうことをより効果的に抑制することができる。
【００４４】
請求項９に記載の整流子の結線方法は、請求項６〜請求項８のいずれか一項に記載の整流子の結線方法における前記切断・整形工程において、前記複数のセグメント部のうち前記隣り合う結線爪を有する一対のセグメント部間に形成され前記整流子の軸方向他方側に向かうに従って前記整流子の周方向への幅が拡がるテーパ状の逃げ溝に、前記整流子の軸方向他方側から切断部材を挿入すると共に、前記切断部材により前記橋絡部を切断する方法である。
【００４５】
この整流子の結線方法によれば、切断部材によって橋絡部を切断する際に、一対のセグメント部間に形成されたテーパ状の逃げ溝に、切断部材を挿入するので、一対のセグメント部と切断部材との干渉を抑制できる。これにより、切断部材のストロークを確保できるので、橋絡部をより的確に切断することができる。
【００４６】
また、逃げ溝がテーパ状に形成されているため、切断部材を逃げ溝で誘導することができ、橋絡部を均等に切断することができる。
【図面の簡単な説明】
【００４７】
【図１】整流子の平面図である。
【図２】整流子の側面図である。
【図３】隣り合う結線爪に一対の端末部が引っ掛けられた状態を示す図である。
【図４】第一実施形態に係る整流子の結線装置を示す図である。
【図５】第一実施形態に係る整流子の結線方法の前半の工程を示す図である。
【図６】第一実施形態に係る整流子の結線方法の後半の工程を示す図である。
【図７】図５のＦ７−Ｆ７線断面図である。
【図８】第二実施形態に係る整流子の結線装置及び結線方法を示す図である。
【図９】第三実施形態に係る整流子の結線装置及び結線方法を示す図である。
【図１０】保持部材の変形例を示す図である。
【図１１】切断部材の変形例を示す図である。
【図１２】整流子の結線方法の変形例を示す図である。
【発明を実施するための形態】
【００４８】
［第一実施形態］
はじめに、本発明の第一実施形態について説明する。
【００４９】
図１に示される整流子５０は、ブラシ付き直流モータの電機子に設けられるものであり、電機子の回転軸５２に固定される。図２に示されるように、この整流子５０には、複数のセグメント部５４が設けられている。
【００５０】
複数のセグメント部５４は、それぞれ整流子５０の軸方向を長手方向とする長方形状に形成されており、整流子５０の周方向に並んで配置されている。各セグメント部５４には、突起状の結線爪５６が一体に形成されている。この結線爪５６は、セグメント部５４の端部から整流子５０の軸方向一方側へ折り返されて形成されている。なお、各図において、整流子５０の軸方向一方側は、矢印Ａ１で示されており、整流子５０の軸方向他方側は、矢印Ａ２で示されている。
【００５１】
この整流子５０において、各結線爪５６には、電機子のコアに巻装された巻線や、対応するセグメント同士を同電位に接続する導線５８（短絡線）が係止される。図１〜図３では、理解の容易のために、巻線及び導線のうち導線５８のみが図示されている。
【００５２】
次に、上述の整流子に導線を結線するための整流子の結線装置１０について説明する。
【００５３】
本発明の第一実施形態に係る整流子の結線方法では、図４に示される整流子の結線装置１０が使用される。この整流子の結線装置１０は、一対の保持部材１２と、支持部材１４と、切断部材１６とを備える。一対の保持部材１２は、本発明における「保持部」の一例であり、一対の保持部材１２及び支持部材１４は、本発明における「切断・整形部」の一例である。
【００５４】
一対の保持部材１２は、セグメント部５４よりも若干幅狭の平板状に形成されており、整流子５０の軸方向を長さ方向として配置される。この一対の保持部材１２は、整流子５０の周方向に並んで配置され、複数の結線爪５６のうち隣り合う結線爪５６と対応する位置に位置される。この一対の保持部材１２は、結線爪５６とセグメント部５４との間に挿入可能な厚さを有しており、整流子５０の軸方向一方側から結線爪５６とセグメント部５４との間に挿入されて後述する導線５８の被係止部６０を結線爪５６に対して保持する。
【００５５】
支持部材１４は、一対の保持部材１２に沿って延びる平板状に形成されており、一対の保持部材１２の間に挿入されている。この支持部材１４の先端面は、平面で形成されている。この支持部材１４は、一対の保持部材１２に対して整流子５０の軸方向に相対移動可能とされており、整流子５０の軸方向一方側から隣り合う結線爪５６の間に挿入されて後述する導線５８の橋絡部６２を支持する。
【００５６】
切断部材１６は、整流子５０側に刃先が向けられており、整流子５０の軸方向他方側に配置される。この切断部材１６は、整流子５０の軸方向他方側から一方側へ移動し後述する導線５８の橋絡部６２を切断する。
【００５７】
次に、上述の整流子の結線装置１０を用いた整流子の結線方法について説明する。
【００５８】
＜係止工程＞
先ず、図５の上図に示されるように、ノズル１８によって、複数の結線爪５６のうち隣り合う結線爪５６に導線５８が係止されると共に、整流子５０に導線５８が巻き付けられる。この導線５８において、一対の結線爪５６に係止された部分は、一対の被係止部６０であり、一対の被係止部６０間には、橋絡部６２が形成される。
【００５９】
＜保持工程＞
続いて、図５の中図に示されるように、一対の保持部材１２が各結線爪５６とセグメント部５４との間の隙間に挿入される。そして、整流子５０の軸方向一方側から一対の保持部材１２によって各被係止部６０が結線爪５６の基端部に押圧され、これにより、一対の被係止部６０が隣り合う結線爪５６に対して保持される。このとき、図７に示されるように、各結線爪５６の基端部５６Ａと保持部材１２との間に被係止部６０が挟持される。
【００６０】
＜切断・整形工程＞
続いて、図５の下図に示されるように、一対の保持部材１２によって一対の被係止部６０が隣り合う結線爪５６に対して保持されると共に、支持部材１４が整流子５０の軸方向一方側から橋絡部６２と対向した状態で、切断部材１６が整流子５０の軸方向他方側から一方側に移動する。そして、この切断部材１６により、橋絡部６２が整流子５０の軸方向他方側から切断される。
【００６１】
このように橋絡部６２が切断部材１６により切断される際に、橋絡部６２は、整流子５０の軸方向一方側から支持部材１４により支持され、この支持部材１４と切断部材１６によって挟み込まれて切断される。そして、このようにして橋絡部６２が切断されることにより、導線５８には、一対の被係止部６０から延びる一対の端末部６４が形成される（以上、切断工程）。
【００６２】
続いて、図６の上図に示されるように、切断部材１６が整流子５０の軸方向他方側へ移動して元の位置に戻る。また、図６の中図に示されるように、支持部材１４が整流子５０の軸方向一方側から他方側へ移動し、この支持部材１４により、一対の端末部６４が整流子５０の軸方向他方側へフック状に折り曲げられて隣り合う結線爪５６に引っ掛けられる。このとき、一対の端末部６４は、互いの先端部が離間する方向に折り曲げられる（以上、整形工程）。
【００６３】
そして、図６の下図に示されるように、一対の保持部材１２、支持部材１４、及び、切断部材１６は、次の隣り合う結線爪５６と対応する位置に移動し、次の保持工程及び切断・成形工程に備える。以上の工程が繰り返されることにより、整流子５０には、短絡線としての導線５８が巻き付けられると共に、各結線爪５６には、導線５８の端末部６４が引っ掛けられる。
【００６４】
次に、本発明の第一実施形態の作用及び効果について説明する。
【００６５】
以上詳述したように、本発明の第一実施形態によれば、一対の被係止部６０間の橋絡部６２が切断部材１６により切断される際に、一対の保持部材１２によって一対の被係止部６０が隣り合う結線爪５６に対して保持されるので、橋絡部６２の切断時に導線５８が結線爪５６に対して動いてしまうことを抑制できる。これにより、橋絡部６２を的確に切断することができるので、橋絡部６２が切断されずに繋がったままとなるショート不良の発生を抑制することができる。
【００６６】
また、一対の端末部６４が支持部材１４によりフック状に折り曲げられて隣り合う結線爪５６に引っ掛けられる際においても、一対の保持部材１２により一対の被係止部６０が隣り合う結線爪５６に対して保持される。従って、端末部６４の整形時においても、導線５８が結線爪５６に対して動いてしまうことを抑制できるので、端末部６４のフック形状を十分に形成することができる。これにより、導線５８が緩んだり、一対の端末部６４同士が接触するショート不良が発生したりすることを抑制することができる。
【００６７】
また、一対の保持部材１２は、結線爪５６とセグメント部５４との間の隙間に挿入されると共に、結線爪５６の折り返し側と同じ側である整流子５０の軸方向一方側から被係止部６０を結線爪５６の基端部５６Ａ（図７参照）に押圧する。従って、結線爪５６の基端部５６Ａと保持部材１２との間に被係止部６０が挟持されるので、橋絡部６２の切断時、及び、端末部６４の整形時において、被係止部６０を結線爪５６に対してより強固に保持することができる。これにより、橋絡部６２の切断時、及び、端末部６４の整形時に導線５８が結線爪５６に対して動いてしまうことをより効果的に抑制することができる。
【００６８】
また、橋絡部６２は、整流子５０の軸方向一方側から支持部材１４によって支持され、整流子５０の軸方向他方側から切断部材１６により切断される。従って、切断部材１６により橋絡部６２を切断する際に、切断部材１６と反対側から橋絡部６２が支持部材１４で支持されるので、橋絡部６２をより的確に切断することができる。
【００６９】
しかも、切断部材１６は、結線爪５６の折返し側と反対側である整流子５０の軸方向他方側から橋絡部６２を切断するので、橋絡部６２の切断時に、橋絡部６２に対する整流子５０の軸方向一方側よりも広いスペースのある側（整流子５０の軸方向他方側）で切断部材１６を移動させることができる。これにより、切断部材１６と結線爪５６との干渉を抑制して橋絡部６２をより的確に切断することができる。
【００７０】
また、切断部材１６が橋絡部６２を切断した後に支持部材１４が整流子５０の軸方向一方側から他方側へ移動し、この支持部材１４により一対の端末部６４がフック状に折り曲げられて隣り合う結線爪５６に引っ掛けられる。従って、支持部材１４が端末部６４を整形する治具を兼ねるので、端末部６４をフック状に整形するための専用の治具を不要にでき、コストを削減することができる。
【００７１】
次に、本発明の第一実施形態の変形例について説明する。
【００７２】
本発明の第一実施形態では、図１０に示されるように、導線５８における被係止部６０に対する端末部６４と反対側に湾曲部６６が形成される。そこで、一対の保持部材１２は、湾曲部６６を支持するための拘束部２０を有していても良い。この拘束部２０は、湾曲部６６に対する結線爪５６と反対側に位置し、湾曲部２０に沿って形成されている。
【００７３】
このように構成されていると、保持工程において、導線５８に形成された湾曲部６６を該湾曲部６６に対する結線爪５６と反対側から拘束部２０で支持することができるので、橋絡部６２の切断時、及び、端末部６４の整形時に導線５８が結線爪５６に対して動いてしまうこと（導線５８のずれ）をより効果的に抑制することができる。
【００７４】
また、本発明の第一実施形態において、切断部材１６は、より好ましくは、切断後の一対の端末部６４の長さを均等にするために両刃で形成されるが、図１１に示されるように、片刃で形成されても良い。
【００７５】
また、本発明の第一実施形態では、図１２に示されるように、複数のセグメント部５４のうち隣り合う結線爪５６を有する一対のセグメント部５４間に、整流子５０の軸方向他方側に向かうに従って整流子５０の周方向への幅が拡がるテーパ状の逃げ溝２２が形成されても良い。そして、この逃げ溝２２に整流子５０の軸方向他方側から切断部材１６が挿入されると共に、この切断部材１６により橋絡部６２が切断されても良い。
【００７６】
このように構成されていると、切断・整形工程において、切断部材１６によって橋絡部６２を切断する際に、一対のセグメント部５４間に形成されたテーパ状の逃げ溝２２に、切断部材１６を挿入できるので、一対のセグメント部５４と切断部材１６との干渉を抑制できる。これにより、切断部材１６のストロークを確保できるので、橋絡部６２をより的確に切断することができる。
【００７７】
また、逃げ溝２２がテーパ状に形成されているため、切断部材１６を逃げ溝２２で誘導することができ、橋絡部６２を均等に切断することができる。
【００７８】
［第二実施形態］
次に、本発明の第二実施形態について説明する。
【００７９】
図８に示される本発明の第二実施形態に係る整流子の結線装置３０では、上述の本発明の第一実施形態に係る整流子の結線装置１０に対し、次のように構成が変更されている。つまり、整流子の結線装置３０では、支持部材１４と切断部材１６の配置が入れ替わっており、支持部材１４は、整流子５０の軸方向他方側に配置され、切断部材１６は、整流子５０の軸方向一方側に配置されている。切断部材１６は、一対の保持部材１２の間に挿入されている。
【００８０】
切断部材１６には、橋絡部６２を切断するカッタ部３２と、このカッタ部３２の横幅方向両側に張り出す角部により形成された押圧部３４が設けられている。
【００８１】
そして、この本発明の第二実施形態に係る整流子の結線装置３０を用いた整流子の結線方法では、上述の本発明の第一実施形態に係る整流子の結線方法に対し、切断・整形工程が次のように変更される。
【００８２】
つまり、図８の上図に示されるように、一対の保持部材１２によって一対の被係止部６０が隣り合う結線爪５６に対して保持されると共に、支持部材１４が整流子５０の軸方向他方側から橋絡部６２と対向する。
【００８３】
この状態で、図８の中図に示されるように、切断部材１６が整流子５０の軸方向一方側から他方側に移動する。そして、この切断部材１６に設けられたカッタ部３２により、橋絡部６２が整流子５０の軸方向一方側から切断される。橋絡部６２が切断部材１６により切断される際に、橋絡部６２は、整流子５０の軸方向他方側から支持部材１４により支持される。このようにして橋絡部６２が切断されることにより、導線５８には、一対の被係止部６０から延びる一対の端末部６４が形成される（以上、切断工程）。
【００８４】
続いて、図８の下図に示されるように、支持部材１４が整流子５０の軸方向他方側へ移動して元の位置に戻る。また、切断部材１６が整流子５０の軸方向一方側から他方側へさらに移動し、この切断部材１６に設けられた押圧部３４により、一対の端末部６４が整流子５０の軸方向他方側へ押圧される。そして、この一対の端末部６４がフック状に折り曲げられて隣り合う結線爪５６に引っ掛けられる（以上、整形工程）。
【００８５】
本発明の第二実施形態では、以上の要領で、橋絡部６２が切断されると共に、一対の端末部６４がフック状に折り曲げられて隣り合う結線爪５６に引っ掛けられる。
【００８６】
この本発明の第二実施形態によれば、橋絡部６２は、整流子５０の軸方向他方側から支持部材１４によって支持され、整流子５０の軸方向一方側から切断部材１６により切断される。従って、切断部材１６により橋絡部６２を切断する際に、切断部材１６と反対側から橋絡部６２が支持部材１４で支持されるので、橋絡部６２をより的確に切断することができる。
【００８７】
しかも、一対の保持部材１２が被係止部６０を押圧して保持する方向と、切断部材１６が橋絡部６２を切断する方向とが同じ方向であるので、橋絡部６２の切断時に導線５８が結線爪５６に対して動いてしまうことをより効果的に抑制することができる。
【００８８】
また、切断部材１６が橋絡部６２を切断した後に整流子５０の軸方向一方側から他方側へ移動し、この切断部材１６により一対の端末部６４がフック状に折り曲げられて隣り合う結線爪５６に引っ掛けられる。従って、切断部材１６が端末部６４を整形する治具を兼ねるので、端末部６４をフック状に整形するための専用の治具を不要にでき、コストを削減することができる。
【００８９】
また、橋絡部６２を切断する方向と、一対の端末部６４をフック状に折り曲げる方向とが同じ方向であり、切断部材１６を整流子５０の軸方向一方側から他方側へ移動させることにより、橋絡部６２の切断、及び、端末部６４の整形を連続的に行うことができる。これにより、工数を削減することができる。
【００９０】
［第三実施形態］
次に、本発明の第三実施形態について説明する。
【００９１】
図９に示される本発明の第三実施形態に係る整流子の結線装置４０では、上述の本発明の第二実施形態に係る整流子の結線装置３０から支持部材１４（図８参照）が省かれている。本発明の第三実施形態において、切断部材１６は、本発明における「切断・整形部」の一例である。
【００９２】
そして、この本発明の第三実施形態に係る整流子の結線装置４０を用いた整流子の結線方法では、上述の本発明の第二実施形態に係る整流子の結線方法に対し、切断・整形工程が次のように変更される。
【００９３】
つまり、図９の上図に示されるように、一対の保持部材１２によって一対の被係止部６０が隣り合う結線爪５６に対して保持される。
【００９４】
この状態で、図９の中図に示されるように、切断部材１６が整流子５０の軸方向一方側から他方側に移動する。そして、この切断部材１６に設けられたカッタ部３２により、橋絡部６２が整流子５０の軸方向一方側から切断される。このようにして橋絡部６２が切断されることにより、導線５８には、一対の被係止部６０から延びる一対の端末部６４が形成される（以上、切断工程）。
【００９５】
続いて、図９の下図に示されるように、切断部材１６が整流子５０の軸方向一方側から他方側へさらに移動し、この切断部材１６に設けられた押圧部３４により、一対の端末部６４が整流子５０の軸方向他方側へ押圧される。そして、この一対の端末部６４がフック状に折り曲げられて隣り合う結線爪５６に引っ掛けられる（以上、整形工程）。
【００９６】
本発明の第三実施形態では、以上の要領で、橋絡部６２が切断されると共に、一対の端末部６４がフック状に折り曲げられて隣り合う結線爪５６に引っ掛けられる。
【００９７】
この本発明の第三実施形態においても、一対の保持部材１２が被係止部６０を押圧して保持する方向と、切断部材１６が橋絡部６２を切断する方向とが同じ方向であるので、橋絡部６２の切断時に導線５８が結線爪５６に対して動いてしまうことをより効果的に抑制することができる。
【００９８】
また、切断部材１６が橋絡部６２を切断した後に整流子５０の軸方向一方側から他方側へ移動し、この切断部材１６により一対の端末部６４がフック状に折り曲げられて隣り合う結線爪５６に引っ掛けられる。従って、切断部材１６が端末部６４を整形する治具を兼ねるので、端末部６４をフック状に整形するための専用の治具を不要にでき、コストを削減することができる。
【００９９】
また、橋絡部６２を切断する方向と、一対の端末部６４をフック状に折り曲げる方向とが同じ方向であり、切断部材１６を整流子５０の軸方向一方側から他方側へ移動させることにより、橋絡部６２の切断、及び、端末部６４の整形を連続的に行うことができる。これにより、工数を削減することができる。
【０１００】
また、橋絡部６２を切断部材１６と反対側から支持する支持部材を不要にできるので、コストを削減することができる。
【０１０１】
なお、本発明の第二及び第三実施形態においても、図１０〜図１２に示される変形例が適用されても良い。
【０１０２】
以上、本発明の第一乃至第三実施形態について説明したが、本発明は、上記に限定されるものでなく、上記以外にも、その主旨を逸脱しない範囲内において種々変形して実施可能であることは勿論である。
【符号の説明】
【０１０３】
１０，３０，４０…結線装置、１２…保持部材、１４…支持部材、１６…切断部材、２０…拘束部、２０…湾曲部、２２…逃げ溝、３２…カッタ部、３４…押圧部、５０…整流子、５４…セグメント部、５６…結線爪、５８…導線、６０…被係止部、６２…橋絡部、６４…端末部、６６…湾曲部
【図１】
0006417873.tif 000002
【図２】
0006417873.tif 000003
【図３】
0006417873.tif 000004
【図４】
0006417873.tif 000005
【図５】
0006417873.tif 000006
【図６】
0006417873.tif 000007
【図７】
0006417873.tif 000008
【図８】
0006417873.tif 000009
【図９】
0006417873.tif 000010
【図１０】
0006417873.tif 000011
【図１１】
0006417873.tif 000012
【図１２】
0006417873.tif 000013